(57)【要約】【課題】  １回の操作で円滑にフィルタを取付けできる空調装置のフィルタ取付け構造を提供することを課題とする。【解決手段】  空調装置１０のフィルタ取付け構造１５は、空気取入れ口１２を囲う開口縁３１にフィルタ３２の一辺３３を支えるストッパ３４を突出形成すると共に、フィルタ３２の他辺３５を押してフィルタ３２をストッパ３４へ付勢する弾発機能を有し且つフィルタ３２を開口縁３６へ抑える機能をも持たせるために開口縁３６に可撓性リブ３７を斜めに突出形成し、この可撓性リブ３７とストッパ３４とでフィルタ３２を保持させるようにした構成である。空調装置１０の筐体である空調ケース３８と可撓性リブ３７とをポリプロピレンで構成すると共に、可撓性リブ３７と空調ケース３８とを一体形成した。開口縁３６に且つ可撓性リブ３７に対して直交する位置に、フィルタ３２の横ずれを防止するサイドストッパ３９を突出形成した。【選択図】      図２
2006036156.tif 000002
【特許請求の範囲】
【請求項１】
空調装置の空気取入れ口に脱着可能に取付けるフィルタの取付け構造において、
前記空気取入れ口を囲う開口縁にフィルタの一辺を支えるストッパを突出形成すると共に、フィルタの他辺を押してフィルタを前記ストッパへ付勢する弾発機能を有し且つフィルタを開口縁へ抑える機能をも持たせるために前記開口縁に可撓性リブを斜めに突出形成し、この可撓性リブと前記ストッパとでフィルタを保持させるようにしたことを特徴とする空調装置のフィルタ取付け構造。
【請求項２】
空調装置の筐体である空調ケースと前記可撓性リブとをポリプロピレンで構成すると共に可撓性リブを空調ケースに一体形成したことを特徴とする請求項１記載の空調装置のフィルタ取付け構造。
【請求項３】
前記開口縁に且つ可撓性リブに対して直交する位置に、フィルタの横ずれを防止するサイドストッパを突出形成したことを特徴とする請求項１又は請求項２記載の空調装置のフィルタ取付け構造。
【発明の詳細な説明】
【技術分野】
【０００１】
本発明は、空調装置のフィルタ取付け構造に関するものである。
【背景技術】
【０００２】
従来、自動車のエアコンなどの空調装置のフィルタ取付け構造が知られている（例えば特許文献１参照。）。
【特許文献１】実公平１−１２９７２号公報（第２頁、図１）
【０００３】
特許文献１を次図に基づいて説明する。
図７は従来の技術の基本構成及び作用を説明する図である。
（ａ）において、空調装置用フィルタ取付け構造１００のダクトケース１０１に内気取入れ口１０２を備え、この内気取入れ口１０２の下部に掛止部１０３を設け、この掛止部１０３に、フィルタ１０４を矢印Ａの如く挿入する。
【０００４】
（ｂ）において、フィルタ１０４の下端部１０５を掛止部１０３に斜めに挿入したままの状態で、フィルタ１０４に備えた固定片１０６の係合孔１０７を、ピン１０８に矢印Ｂの如く嵌合させる。
【０００５】
（ｃ）において、フィルタ１０４を掛止部１０３と、ピン１０８とで内気取入れ口１０２に取付けた状態を示す。
フィルタ１０４を通過した空気は、ブロワモータ１０９で回転するブロワ１１０により、室内へ誘導される。
【０００６】
しかし、特許文献１の空調装置用フィルタ取付け構造１００は、フィルタ１０４の取付けを行うために２段階の操作が必要であり、手間がかかる。
【発明の開示】
【発明が解決しようとする課題】
【０００７】
本発明は、１回の操作で円滑にフィルタを取付けできる空調装置のフィルタ取付け構造を提供することを課題とする。
【課題を解決するための手段】
【０００８】
請求項１に係る発明は、空調装置の空気取入れ口に脱着可能に取付けるフィルタの取付け構造において、
空気取入れ口を囲う開口縁にフィルタの一辺を支えるストッパを突出形成すると共に、フィルタの他辺を押してフィルタをストッパへ付勢する弾発機能を有し且つフィルタを開口縁へ抑える機能をも持たせるために開口縁に可撓性リブを斜めに突出形成し、この可撓性リブとストッパとでフィルタを保持させるようにしたことを特徴とする。
【０００９】
請求項２に係る発明は、空調装置の筐体である空調ケースと可撓性リブとをポリプロピレンで構成すると共に可撓性リブを空調ケースに一体形成したことを特徴とする。
【００１０】
請求項３に係る発明は、開口縁に且つ可撓性リブに対して直交する位置に、フィルタの横ずれを防止するサイドストッパを突出形成したことを特徴とする。
【発明の効果】
【００１１】
請求項１に係る発明では、空気取入れ口を囲う開口縁にフィルタを保持するストッパと可撓性リブを備えたので、フィルタの取付けは、フィルタの一端面を可撓性リブに押し当てながらフィルタの他端面をストッパに嵌合させる円滑な操作で行うことができる。
【００１２】
また、可撓性リブの復元力により、フィルタをストッパへ押付けることができる。
さらに、ストッパの反発力により、フィルタを可撓性リブへ押付けることができる。
以上より、１回の操作で円滑にフィルタを取付けできる空調装置のフィルタ取付け構造を提供することができる。
【００１３】
請求項２に係る発明では、空調ケースと可撓性リブとをポリプロピレンで構成すると共に可撓性リブを空調ケースに一体形成した。
ポリプロピレンは、射出成形用樹脂として汎用性のものであり、耐屈曲疲労性に優れるために、可撓性リブを形成し易いという利点がある。
可撓性リブを空調ケースに一体形成したので、可撓性リブと空調ケースの一体形成品は、安価なコストで射出成形することができる。
【００１４】
請求項３に係る発明では、開口縁に且つ可撓性リブに対して直交する位置に、フィルタの横ずれを防止するサイドストッパを突出形成したので、空調装置の使用中においてフィルタの横のずれを防止することができる。
【発明を実施するための最良の形態】
【００１５】
本発明を実施するための最良の形態を添付図に基づいて以下に説明する。なお、図面は符号の向きに見るものとする。
図１は空調装置の一例を示す断面図であり、空調装置１０は、本体１１の前方に空気取入れ口１２、外気取入れ口１３、ブロワ１４を備えるフィルタ取付け構造１５を設け、このフィルタ取付け構造１５の下流側にエバポレータ１６、ヒータコア１７を設けたものである。
【００１６】
この空調装置１０は、空気取入れ口１２より矢印Ｃの如く室内からの空気を取入れ、外気取入れ口１３より矢印Ｄの如く外気を取入れ、これら取入れた室内からの空気と外気をブロワ１４で矢印Ｅの如くエバポレータ１６側に通し、このエバポレータ１６を通過した空気を矢印Ｆの如く進行させ、エアミックスドア１８を開くことにより矢印Ｇの如く進行させる。
一方、エバポレータ１６を通過し、ヒータコア１７を通過した空気は、矢印Ｈの如く流れる。
【００１７】
矢印Ｆから矢印Ｇあるいは矢印Ｈの如く進行した空気は、必要に応じて、デフ吹出し口１９から第１のドア２１を開くことにより矢印Ｊの如く吹出し、例えば窓ガラスなどの水分を蒸発させる。
また、矢印Ｆから矢印Ｇあるいは矢印Ｈの如く進行した空気は、必要に応じて、ベント吹出し口２２から第２のドア２３を開くことにより矢印Ｋの如く吹出す。
さらに、矢印Ｆから矢印Ｇあるいは矢印Ｈの如く進行した空気は、必要に応じて、ヒータ吹出し口２４から第３のドア２５を開くことにより矢印Ｌの如く室内に温風を吹出す。
【００１８】
図２は図１の２拡大図であり、空調装置１０のフィルタ取付け構造１５は、空気取入れ口１２を囲う開口縁３１にフィルタ３２の一辺３３を支えるストッパ３４を突出形成すると共に、フィルタ３２の他辺３５を押してフィルタ３２をストッパ３４へ付勢する弾発機能を有し且つフィルタ３２を開口縁３６へ抑える機能をも持たせるために開口縁３６に可撓性リブ３７を斜めに突出形成し、この可撓性リブ３７とストッパ３４とでフィルタ３２を保持させるようにした。
【００１９】
フィルタ取付け構造１５は、空調装置１０の筐体である空調ケース３８と可撓性リブ３７とをポリプロピレンで構成すると共に、可撓性リブ３７と空調ケース３８とを一体形成した。
【００２０】
ポリプロピレンは、射出成形用樹脂として汎用性のものであり、耐屈曲疲労性に優れるために、可撓性リブ３７を形成し易い。
可撓性リブ３７を空調ケース３８に一体形成したので、可撓性リブ３７と空調ケース３８の一体形成品は、安価なコストで射出成形することができる。
【００２１】
また、フィルタ取付け構造１５は、開口縁３６に且つ可撓性リブ３７に対して直交する位置に、フィルタ３２の横ずれを防止するサイドストッパ３９を突出形成した。
その結果、空調装置１０の使用中においてフィルタ３２の横方向のずれを防止することができる。
【００２２】
なお、４１は外気を誘導するダクト、４２はダクト４１と空調ケース３８との結合部、４３は外気取入れドア、４４はブロワファン、４５はブロワファン４４を回転させるブロワモータである。
【００２３】
図３は図２の３矢視図であり、フィルタ取付け構造１５のフィルタ３２の固定様態で、フィルタ３２の下方端面４６をストッパ３４に嵌合させ、フィルタ３２の上方端面４７を可撓性リブ３７、３７で保持し、フィルタ３２の側方端面４８、４８をサイドストッパ３９、３９で保持した状態を示す。
なお、１２は空気取入れ口、３８は空調ケースである。
【００２４】
図４はフィルタの取付け開始時の作用図であり、フィルタ取付け構造１５の空調ケース３８の開口縁３６に設けた可撓性リブ３７の底面５１に、フィルタ３２の他辺３５を矢印Ｍの如く押し当てる状態を示す。
このとき、可撓性リブ３７は空気取入れ口１２の法線に対して角度θ１だけ反時計回りに回転した位置（開口縁３６に斜めに突出形成した。正回転方向でθ１＞０とする。）にある。
【００２５】
図５はフィルタの取付けの途中を示す作用図であり、フィルタ３２の他辺３５が可撓性リブ３７の底面５１を押上げ、可撓性リブ３７が空気取入れ口１２の法線に対して角度θ２だけ時計回りに回転した位置にあり、続いて矢印Ｎの如くフィルタ３２の一辺３３をストッパ３４の上面５２に嵌合させる状態を示す。
ここで、θ２＜０である。
【００２６】
図６はフィルタの取付けが完了した状態を示す作用図であり、可撓性リブ３７がフィルタ３２の他辺３５の可撓性リブ３７の底面５１との接触部５３を介して、矢印Ｐの如くフィルタ３２を押付け、一方、ストッパ３４がストッパ３４の上面５２でフィルタ３２の一辺３３を介して、矢印Ｑの如くフィルタ３２を押上げ、フィルタ３２が固定された状態を示す。
ここで、可撓性リブ３７は、空気取入れ口１２の法線に対して角度θ３だけ反時計回りに回転した位置にある。また、θ３＞０である。
なお、図４〜図６において、空気取入れ口１２の法線に対する可撓性リブ３７の位置を示す角度θ１、θ２、θ３は、θ１＞θ３＞０＞θ２の関係にある。
【００２７】
以上に述べたとおり、フィルタ３２の取付けは、フィルタ３２の一端面を可撓性リブ３７に押し当てながらフィルタ３２の他端面をストッパ３４に嵌合させる円滑な操作で行うことができる。
また、可撓性リブ３７の復元力により、フィルタ３２をストッパ３４へ押付けることができる。
さらに、ストッパ３４の反発力により、フィルタ３２を可撓性リブ３７へ押付けることができる。
したがって、１回の操作で円滑にフィルタ３２を取付けできる空調装置１０のフィルタ取付け構造１５を提供することができる。
【００２８】
尚、本発明の空調装置１０のフィルタ取付け構造１５は、実施の形態ではエアコンに適用したが、空気清浄機などにも適用可能である。
また、空調装置１０の筐体である空調ケース３８と可撓性リブ３７とをポリプロピレンで一体形成したが、別に材料に射出成形性の良い他の樹脂を使用することは差し支えないし、空調ケース３８と可撓性リブ３７とを別体としても差し支えない。
さらに、サイドストッパ３９は、空調ケース３８と一体形成でも別体でも良い。
【産業上の利用可能性】
【００２９】
本発明の空調装置のフィルタ取付け構造は、自動車に好適である。
【図面の簡単な説明】
【００３０】
【図１】空調装置の一例を示す断面図である。
【図２】図１の２拡大図である。
【図３】図２の３矢視図である。
【図４】フィルタの取付け開始時の作用図である。
【図５】フィルタの取付けの途中を示す作用図である。
【図６】フィルタの取付けが完了した状態を示す作用図である。
【図７】従来の技術の基本構成及び作用を説明する図である。
【符号の説明】
【００３１】
１０…空調装置  、１２…空気取入れ口  、１３…外気取入れ口  、１４…ブロワ  、１５…フィルタ取付け構造  、３２…フィルタ  、３４…ストッパ  、３７…可撓性リブ  、３８…空調ケース  、３９…サイドストッパ  、４３…外気取入れドア  、４４…ブロワファン  、４５…ブロワモータ。
【図１】
2006036156.tif 000003
【図２】
2006036156.tif 000004
【図３】
2006036156.tif 000005
【図４】
2006036156.tif 000006
【図５】
2006036156.tif 000007
【図６】
2006036156.tif 000008
【図７】
2006036156.tif 000009